(57)【特許請求の範囲】
【請求項１】
原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置において，
前記特殊原稿判定を行なっている際に、前記原稿を原稿台に押圧する圧板の開閉状態を判定する圧板判定手段と，
前記圧板判定手段で前記圧板が開状態であると判定された場合に，前記マイクロ波の照射を中止する特殊原稿判定手段と，
前記特殊原稿判定手段により前記マイクロ波の照射が中止された場合に，前記原稿から画像データを読み取ることを中止し，前記特殊原稿判定を行なっていなければ画像データの読み取りを継続する読取手段と，
を備えることを特徴とする画像読取装置。
【請求項２】
原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置において，
前記特殊原稿判定を行なっている際に，前記原稿を原稿台に押圧する圧板の開閉状態を判定する圧板判定手段と，
前記圧板判定手段で前記圧板が開状態であると判定された場合に，前記マイクロ波の照射を中止する特殊原稿判定手段と，
前記原稿から画像データを読み取る読取手段と，
前記特殊原稿判定手段により前記マイクロ波の照射が中止された後に，前記原稿から画像データが読み取られた場合に，前記読み取られた画像データが前記原稿の画像データと異なる画像となるように，前記画像データに対して画像処理を施す画像処理手段と，
を備えることを特徴とする画像読取装置。
【請求項３】
前記画像処理手段が，前記画像データの色相を変更することを特徴とする請求項２記載の画像読取装置。
【請求項４】
前記画像処理手段が，前記画像データの画像濃度を変更することを特徴とする請求項２記載の画像読取装置。
【請求項５】
前記画像処理手段が，前記画像データの色再現範囲を変更することを特徴とする請求項２記載の画像読取装置。
【請求項６】
前記画像処理手段が，前記画像データの解像度を変更することを特徴とする請求項２記載の画像読取装置。
【請求項７】
前記画像処理手段が，前記画像データにモザイク処理を施すことを特徴とする請求項２記載の画像読取装置。
【請求項８】
原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置の制御方法において，
前記特殊原稿判定を行なっている際に、前記原稿を原稿台に押圧する圧板の開閉状態を判定する第１の工程と，
前記第１の工程で前記圧板が開状態であると判定された場合に，前記マイクロ波の照射を中止する第２の工程と，
前記第２の工程により前記マイクロ波の照射が中止された場合に，前記原稿から画像データを読み取ることを中止し，前記特殊原稿判定を行なっていなければ画像データの読み取りを継続する読取工程と，
を含むことを特徴とする画像読取装置の制御方法。
【請求項９】
原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置の制御方法において，
前記特殊原稿判定を行なっている際に，前記原稿を原稿台に押圧する圧板の開閉状態を判定する第１の工程と，
前記第１の工程で前記圧板が開状態であると判定された場合に，前記マイクロ波の照射を中止する第２の工程と，
前記原稿から画像データを読み取る読取工程と，
前記第２の工程により前記マイクロ波の照射が中止された後に，前記原稿から画像データが読み取られた場合に，前記読み取られた画像データが前記原稿の画像データと異なる画像となるように，前記画像データに対して画像処理を施す画像処理工程と，
を含むことを特徴とする画像読取装置の制御方法。
【請求項１０】
前記画像処理工程が，前記画像データの色相を変更する工程を含むことを特徴とする請求項９記載の画像読取装置の制御方法。
【請求項１１】
前記画像処理工程が，前記画像データの画像濃度を変更する工程を含むことを特徴とする請求項９記載の画像読取装置の制御方法。
【請求項１２】
前記画像処理工程が，前記画像データの色再現範囲を変更する工程を含むことを特徴とする請求項９記載の画像読取装置の制御方法。
【請求項１３】
前記画像処理工程が，前記画像データの解像度を変更する工程を含むことを特徴とする請求項９記載の画像読取装置の制御方法。
【請求項１４】
前記画像処理工程が，前記画像データにモザイク処理を施す工程を含むことを特徴とする請求項９記載の画像読取装置の制御方法。
【発明の詳細な説明】
【０００１】
【発明の属する技術分野】
本発明は，画像読取装置および画像読取装置の制御方法に関する。
【０００２】
【従来の技術】
近年，画像処理技術・画像形成技術の向上によって，カラー複写機で複写したコピー紙幣と実際の紙幣とが容易に区別できないほど精巧に画像形成を行うことが可能になっている。このため，紙幣・有価証券等の複製が禁止されている特殊原稿を判定し，特殊原稿の場合に違法複写を禁止するようにした装置が開発されており，複写機に特殊原稿を判定する機能を搭載した画像形成装置も提案されている。
【０００３】
上記特殊原稿として，それ自身が特殊原稿であることを示すために金属繊維がすき込まれたものがある。このような特殊原稿を通常の原稿から判別するには，特殊原稿中にすき込まれた金属繊維を検出すれば良い。そのため，金属繊維がすき込まれた特殊原稿を判定するための画像形成装置として，原稿に対してマイクロ波を照射し，照射したマイクロ波の透過波または反射波を検出して，検出信号を出力するマイクロ波センサと，マイクロ波センサから出力された検出信号を入力し，この検出信号を用いて，原稿中に金属繊維がすき込まれているか否か判定する信号判定部と，を備えたものが提案されている。
【０００４】
上記画像形成装置においてマイクロ波センサは，一般に，撮像用のＣＣＤ等を備える画像読取ユニットに設けられ，原稿台に載置された原稿上を画像読取ユニットと共に往復運動し，その往路にて金属繊維を検出するためのマイクロ波の照射および反射波の検出を行う。そして，信号判定部が，マイクロ波センサから出力された反射波の検出信号を入力し，入力した検出信号を用いて，原稿中に金属繊維がすき込まれているか否か判定し，原稿中に金属繊維がすき込まれていると判定された場合，原稿が金属繊維のすき込まれた紙幣，有価証券等の特殊原稿であると判定する。
【０００５】
【発明が解決しようとする課題】
しかしながら，上記従来の技術においては，原稿が特殊原稿であるか否かを判定している際に，ユーザが誤って圧板を開けてしまうことがあった。このような場合は，マイクロ波がユーザに直接照射される可能性があるため，マイクロ波が人体へ直接照射されることがないようにする必要があった。
【０００６】
本発明は上記に鑑みてなされたものであって，マイクロ波の照射中にユーザが圧板を開けた場合にマイクロ波の照射を中止し，ユーザに対する安全性を確保するとともに，マイクロ波の出力を中止したため，原稿が特殊原稿であるか否かを判定することができない場合であっても，金属繊維がすき込まれた紙幣，有価証券等の特殊原稿の違法複写を防止可能にすることを目的とする。
【０００９】
【課題を解決するための手段】
上記目的を達成するため，請求項１の画像読取装置は，原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置において，前記特殊原稿判定を行なっている際に、前記原稿を原稿台に押圧する圧板の開閉状態を判定する圧板判定手段と，前記圧板判定手段で前記圧板が開状態であると判定された場合に，前記マイクロ波の照射を中止する特殊原稿判定手段と，前記特殊原稿判定手段により前記マイクロ波の照射が中止された場合に，前記原稿から画像データを読み取ることを中止し，前記特殊原稿判定を行なっていなければ画像データの読み取りを継続する読取手段と，を備えるものである。
【００１０】
また，請求項２の画像読取装置は，原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置において，前記特殊原稿判定を行なっている際に、前記原稿を原稿台に押圧する圧板の開閉状態を判定する圧板判定手段と，前記圧板判定手段で前記圧板が開状態であると判定された場合に，前記マイクロ波の照射を中止する特殊原稿判定手段と，前記原稿から画像データを読み取る読取手段と、前記特殊原稿判定手段により前記マイクロ波の照射が中止された後に，前記原稿から画像データが読み取られた場合に，前記読み取られた画像データが前記原稿の画像データと異なる画像となるように，前記画像データに対して画像処理を施す画像処理手段と，を備えるものである。
【００１４】
また，請求項３の画像読取装置は，請求項２記載の画像読取装置において，前記画像処理手段が，前記画像データの色相を変更するものである。
【００１５】
また，請求項４の画像読取装置は，請求項２記載の画像読取装置において，前記画像処理手段が，前記画像データの画像濃度を変更するものである。
【００１６】
また，請求項５の画像読取装置は，請求項２記載の画像読取装置において，前記画像処理手段が，前記画像データの色再現範囲を変更するものである。
【００１７】
また，請求項６の画像読取装置は，請求項２記載の画像読取装置において，前記画像処理手段が，前記画像データの解像度を変更するものである。
【００１８】
また，請求項７の画像読取装置は，請求項２記載の画像読取装置において，前記画像処理手段が，前記画像データにモザイク処理を施すものである。
【００２１】
また，請求項８の画像読取装置の制御方法は，原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置の制御方法において，前記特殊原稿判定を行なっている際に、前記原稿を原稿台に押圧する圧板の開閉状態を判定する第１の工程と，前記第１の工程で前記圧板が開状態であると判定された場合に，前記マイクロ波の照射を中止する第２の工程と，前記第２の工程により前記マイクロ波の照射が中止された場合に，前記原稿から画像データを読み取ることを中止し，前記特殊原稿判定を行なっていなければ画像データの読み取りを継続する読取工程と，を含むものである。
【００２２】
また，請求項９の画像読取装置の制御方法は，原稿から画像データを光学的に読み取る際に，前記原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定機能を有する画像読取装置の制御方法において，前記特殊原稿判定を行なっている際に、前記原稿を原稿台に押圧する圧板の開閉状態を判定する第１の工程と，前記第１の工程で前記圧板が開状態であると判定された場合に，前記マイクロ波の照射を中止する第２の工程と，前記原稿から画像データを読み取る読取工程と，前記第２の工程により前記マイクロ波の照射が中止された後に，前記原稿から画像データが読み取られた場合に，前記読み取られた画像データが前記原稿の画像データと異なる画像となるように，前記画像データに対して画像処理を施す画像処理工程と，を含むものである。
【００２６】
また，請求項１０の画像読取装置の制御方法は，請求項９記載の画像読取装置の制御方法において，前記画像処理工程が，前記画像データの色相を変更する工程を含むものである。
【００２７】
また，請求項１１の画像読取装置の制御方法は，請求項９記載の画像読取装置の制御方法において，前記画像処理工程が，前記画像データの画像濃度を変更する工程を含むものである。
【００２８】
また，請求項１２の画像読取装置の制御方法は，請求項９記載の画像読取装置の制御方法において，前記画像処理工程が，前記画像データの色再現範囲を変更する工程を含むものである。
【００２９】
また，請求項１３の画像読取装置の制御方法は，請求項９記載の画像読取装置の制御方法において，前記画像処理工程が，前記画像データの解像度を変更する工程を含むものである。
【００３０】
また，請求項１４の画像読取装置の制御方法は，請求項９記載の画像読取装置の制御方法において，前記画像処理工程が，前記画像データにモザイク処理を施す工程を含むものである。
【００３４】
【発明の実施の形態】
以下，本発明に係る特殊原稿判定機能を有する画像読取装置，特殊原稿判定機能を有する画像読取装置の制御方法およびその制御方法を実行するプログラムを格納した，コンピュータが読取可能な記憶媒体について，〔実施の形態１〕，〔実施の形態２〕，〔実施の形態３〕，〔実施の形態４〕，〔実施の形態５〕，〔実施の形態６〕，〔実施の形態７〕，〔実施の形態８〕，〔実施の形態９〕，〔実施の形態１０〕，〔実施の形態１１〕，〔実施の形態１２〕の順で，図面を参照して詳細に説明する。
【００３５】
〔実施の形態１〕
図１は，実施の形態１の特殊原稿判定機能を有する画像読取装置のブロック構成図である。図１に示す特殊原稿判定機能を有する画像読取装置は，原稿からＲＧＢのカラー画像データを読み取るスキャナユニット１１０（請求項４記載の読取手段に該当する）と，スキャナユニット１１０からカラー画像データを入力し，γ補正処理，ＲＧＢ／ＹＭＣＫ変換処理，階調処理等を行う画像処理ユニット１２０（請求項５記載の画像処理手段に該当する）と，レーザダイオード（ＬＤ）１３１を発光させて画像書込処理を実行する書込処理ユニット１３０と，ＬＤ１３１の書込光を用いて記録紙にカラー画像を記録するプリンタユニット１４０と，各種モードの入力およびメッセージの表示等を行うための操作ユニット１５０と，原稿にマイクロ波を照射し，照射したマイクロ波の反射波を用いて，原稿が金属繊維のすき込まれた紙幣，有価証券等の特殊原稿であるか否かを判定する原稿判別ユニット１６０（請求項１〜３記載の特殊原稿判定手段に該当する）と，原稿を原稿台に押圧する圧板が開放されたことを検知する圧板開放検知ユニット１９０（請求項１および３の圧板判定手段に該当する）と，上記各部の制御を行う制御ユニット１８０（請求項１〜３記載の特殊原稿判定手段および請求項１および３の圧板判定手段に該当する）とから構成される。
【００３６】
図１において，スキャナユニット１１０は，カラー画像データを読み取るＣＣＤセンサ等の読取センサ１１１と，読取センサ１１１から出力されたアナログ信号としてのカラー画像データをディジタル信号に変換する等の信号処理を施して，画像処理ユニット１２０に出力する読取信号処理部１１２とを備えている。
【００３７】
図２は，スキャナユニット１１０のブロック構成図である。図２において，３０１Ｒａ，３０１Ｒｂ，３０１Ｇａ，３０１Ｇｂ，３０１Ｂａおよび３０１Ｂｂは，原稿からカラー画像データを読み取ることにより得られた偶数または奇数のＲＧＢ信号（ここでは，アナログ信号）を増幅する増幅器を示し，３０２Ｒａ，３０２Ｒｂ，３０２Ｇａ，３０２Ｇｂ，３０２Ｂａおよび３０２Ｂｂは，アナログのＲＧＢ信号をディジタルのＲＧＢ信号に変換するＡ／Ｄ変換回路を示し，３０３Ｒ，３０３Ｇおよび３０３Ｂは，偶数および奇数のＲＧＢ信号を合成する合成回路を示し，３０４Ｒ，３０４Ｇおよび３０４Ｂは，白基準信号および黒基準信号に基づいて，ＲＧＢ信号に対してシェーディング補正を行うシェーディング補正回路を示し，３０５，３０６および３０７は，ＲＧＢ信号の転送タイミングを調節するためのライン間補正メモリを示している。
【００３８】
図３は，画像処理ユニット１２０のブロック構成図である。図３において，３１１は，入力したＲＧＢ信号にドット補正処理や，γ補正処理を施す補正処理部を示し，３１２〜３１４はディレイメモリを示し，３１５はＡＣＳを示し，３１６は文字／網点分離部を示し，３１７はＲＧＢフィルタを用いて色変換処理を行う色変換部を示し，３１８は変倍処理部を示し，３１９はクリエイト処理部を示し，３２０はＹＭＣＫフィルタを用いてプリンタγ階調処理を行う階調処理部を示し，３２１はエリア処理部を示し，３２２は書込信号を生成する書込処理部を示している。
【００３９】
図４は，図１に示す画像読取装置の書込処理ユニット１３０のブロック構成図である。図４において，３３１はディジタル処理部，３３２はアナログ処理部であり，書込信号を入力し，ＬＤ変調を行い，ＬＤ１３１を発光させる。
【００４０】
プリンタユニット１４０は，図１に示すように，感光体ドラム，帯電器，現像器等の画像形成部（図示せず）並びにこれらを駆動するためのモータ，クラッチおよびソレノイド等を含む出力負荷部１４１と，感光体ドラムの表面電位やトナー濃度等を検出する各種センサ１４２と，所定の信号の入出力を制御するＩ／Ｏポート１４３とを備えている。
【００４１】
また，原稿判別ユニット１６０は，図１に示すように，原稿に対してマイクロ波を照射し，その反射波を検出し，反射波のレベルに応じた検出信号を出力するマイクロ波センサ１６１と，マイクロ波センサ１６１から出力された検出信号を入力し，入力した検出信号に所定の信号処理を施して，原稿が金属繊維がすき込まれた紙幣，有価証券等の特殊原稿であるか否かを判定する信号処理部１６２とを備えている。
【００４２】
さらに，図５は，図１に示す画像読取装置の原稿読取系の具体的な構成を示す構成図である。図５に示す原稿読取系は，原稿が載置されるコンタクトガラス２０１と，原稿をコンタクトガラス２０１上に押圧する圧板２０２と，露光照明ユニット（ハロゲンランプ）２０３，第１ミラー２０４およびマイクロ波センサ１６１で一体構成された第１スキャナ２０５と，第２ミラー２０６および第３ミラー２０７で一体構成された第２スキャナ２０８と，フィルタ２０９，レンズ２１０およびＣＣＤ２１２で一体構成された画像読取部２１３と，ＣＣＤ２１２から出力された画像信号を入力し，所定の信号処理を施すための各種回路，即ち読取信号処理部１１２や，画像処理ユニット１２０，信号処理部１６２等が実装されたスキャナ基板２１４とが，筐体内に収容されて構成されている。
【００４３】
なお，図５において，２１５はシェーディング板（白基準板），２１６および２１７は冷却ファン，２１８は結露防止ヒータ，２１９は原稿サイズ検知器，２２０はバーコード板をそれぞれ示している。
【００４４】
次に，上記構成の特殊原稿判定機能を有する画像読取装置の動作を，（特殊原稿判定処理時の動作），（画像読取時の動作）の順で説明する。
【００４５】
（特殊原稿判定処理時の動作）
実施の形態１の特殊原稿判定機能を有する画像読取装置において，特殊原稿判定処理は，原稿からカラー画像データを読み取る際に行われる。実施の形態１では，原稿のサイズや濃度を検知するためのプリスキャン時に特殊原稿判定処理を実行することにする。ただし，特殊原稿判定処理を行うタイミングをプリスキャン時に限定するものではない。
【００４６】
図６は，実施の形態１の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ６０１）。
【００４７】
ステップＳ６０１において，特殊原稿の判定処理中でないと判定された場合は，マイクロ波センサ１６１からマイクロ波を出力させないで次の処理に進む（Ｓ６０４）。
【００４８】
一方，ステップＳ６０１において，現在特殊原稿の判定処理中であると判定された場合は，圧板２０２の開閉状態を判定する（Ｓ６０２）。圧板２０２の開閉状態は，圧板開放検知ユニット１９０から出力される検知信号により確認することができる。すなわち，圧板開放検知ユニット１９０は，圧板２０２の開閉状態を常に監視しており，圧板２０２が開放された場合は，圧板開放を知らせる検知信号を制御ユニット１８０に対して出力する。制御ユニット１８０は，この検知信号を入力することにより，圧板２０２が開放されているか否かを知ることができる。
【００４９】
ステップＳ６０２において，圧板２０２が開状態である判定された場合，制御ユニット１８０は，マイクロ波センサ１６１からマイクロ波を出力させないで次の処理に進む（Ｓ６０４）。すなわち，制御ユニット１８０は，原稿判別ユニット１６０による特殊原稿の判定処理を中止させる。
【００５０】
一方，ステップＳ６０２において，圧板２０２が閉状態であると判定された場合，制御ユニット１８０は，マイクロ波センサ１６１にマイクロ波を出力させる（Ｓ６０３）。すなわち，制御ユニット１８０は，原稿判別ユニット１６０による特殊原稿の判定処理を続行させる。
【００５１】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【００５２】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ６０１〜ステップＳ６０４のマイクロ波出力制御処理を実行する（Ｓ６０１：請求項１３の第１の工程に該当，Ｓ６０２：請求項１３の第１の工程に該当，Ｓ６０３：請求項１３の第３の工程に該当，Ｓ６０４：請求項１３の第２の工程に該当）。その結果，ステップＳ６０２で圧板２０２が開状態であると判定された場合は，特殊原稿判定処理の途中であったとしても，マイクロ波の出力を停止する（Ｓ６０４）。すなわち，制御ユニット１８０は，原稿判別ユニット１８０による特殊原稿判定処理を途中で中止する。
【００５３】
特殊原稿判定処理が終了した場合は，制御ユニット１８０がステップＳ６０１において，特殊原稿判定処理中でないと判定し，マイクロ波センサ１６１にマイクロ波の出力を停止させ，例えば，判定対象となった原稿からカラー画像データを読み取る等の処理を実行する。
【００５４】
（画像読取時の動作）
プリスキャンを行った後，言い換えれば特殊原稿の判定処理を行った後，実際の画像読取動作に入る。原稿からカラー画像データを読み取るには，第１スキャナ２０５を往復運動させ，その往路において露光照明ユニット２０３で原稿を照明する。原稿で反射された反射光は第１ミラー２０４で反射され，第２スキャナ２０８に入射される。第２スキャナ２０８に入射された反射光は，第２ミラー２０６，第３ミラー２０７で反射され，画像読取部２１３に入射される。画像読取部２１３に入射された反射光は，フィルタ２０９およびレンズ２１０を通過した後，ＣＣＤ２１２に入射される。ＣＣＤ２１２において，反射光は電気信号としてのカラー画像データに変換され，読取信号処理部１１２に入力される。
【００５５】
カラー画像データは，読取信号処理部１１２および画像処理ユニット１２０において所定の処理が施され，書込処理ユニット１３０からレーザ光として出力される。プリンタユニット１４０は，書込処理ユニット１３０から出力されたレーザ光を用いてカラー画像を形成し，形成したカラー画像を記録紙上に転写する。
【００５６】
このように，実施の形態１の特殊原稿判定機能を有する画像読取装置によれば，特殊原稿判定処理中において，圧板２０２が開状態であると判定された場合にマイクロ波の出力を停止するため，マイクロ波が人体に直接照射されることを防止することができる。
【００５７】
〔実施の形態２〕
図７は，実施の形態２の特殊原稿判定機能を有する画像読取装置のブロック構成図である。なお，図７に示す特殊原稿判定機能を有する画像読取装置において，実施の形態１の特殊原稿判定機能を有する画像読取装置と同一の部分については同一の符号を付し，その部分の説明は省略する。
【００５８】
実施の形態２の特殊原稿判定機能を有する画像読取装置は，実施の形態１の画像読取装置における圧板検知ユニット１９０に代えて，画像読取装置の近傍に人間が存在することを検知する人体検知ユニット７１０（請求項２および３の人体判定手段に該当する）を備えている。
【００５９】
次に，上記構成の特殊原稿判定機能を有する画像読取装置の動作を説明する。実施の形態２の特殊原稿判定機能を有する画像読取装置において，特殊原稿判定処理は，原稿からカラー画像データを読み取る際に行われる。実施の形態２では，原稿のサイズや濃度を検知するためのプリスキャン時に特殊原稿判定処理を実行することにする。ただし，特殊原稿判定処理を行うタイミングをプリスキャン時に限定するものではない。
【００６０】
図８は，実施の形態２の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ８０１）。
【００６１】
ステップＳ８０１において，特殊原稿の判定処理中でないと判定された場合は，マイクロ波センサ１６１からマイクロ波を出力させないで次の処理に進む（Ｓ８０４）。
【００６２】
一方，ステップＳ８０１において，現在特殊原稿の判定処理中であると判定された場合は，画像読取装置の近傍に人間が存在するか否かを判定する（Ｓ８０２）。画像読取装置の近傍に人間が存在するか否かは，人体検知ユニット７１０から出力される検知信号により確認することができる。すなわち，人体検知ユニット７１０は，画像読取装置の近傍に人間が存在するか否かを常に監視しており，人体を検知した場合は，人体検知を知らせる検知信号を制御ユニット１８０に対して出力する。制御ユニット１８０は，この検知信号を入力することにより，画像読取装置の近傍に人間が存在するか否かを知ることができる。
【００６３】
ステップＳ８０２において，画像読取装置の近傍に人間が存在すると判定された場合，制御ユニット１８０は，マイクロ波センサ１６１からマイクロ波を出力させないで次の処理に進む（Ｓ８０４）。すなわち，制御ユニット１８０は，原稿判別ユニット１６０による特殊原稿の判定処理を中止させる。
【００６４】
一方，ステップＳ８０２において，画像読取装置の近傍に人間が存在しないと判定された場合，制御ユニット１８０は，マイクロ波センサ１６１にマイクロ波を出力させる（Ｓ８０３）。すなわち，制御ユニット１８０は，原稿判別ユニット１６０による特殊原稿の判定処理を続行させる。
【００６５】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【００６６】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ８０１〜ステップＳ８０４のマイクロ波出力制御処理を実行する（Ｓ８０１：請求項１４の第１の工程に該当，Ｓ８０２：請求項１４の第１の工程に該当，Ｓ８０３：請求項１４の第３の工程に該当，Ｓ８０４：請求項１４の第２の工程に該当）。その結果，ステップＳ８０２で画像読取装置の近傍に人間が存在すると判定された場合は，特殊原稿判定処理の途中であったとしても，マイクロ波の出力を停止する（Ｓ８０４）。すなわち，制御ユニット１８０は，原稿判別ユニット１６０による特殊原稿判定処理を途中で中止させる。
【００６７】
特殊原稿判定処理が終了した場合は，制御ユニット１８０が，ステップＳ８０１において特殊原稿判定処理中でないと判定し，マイクロ波センサ１６１にマイクロ波の出力を停止させ，例えば，判定対象となった原稿からカラー画像データを読み取る等の処理を実行する。
【００６８】
このように，実施の形態２の特殊原稿判定機能を有する画像読取装置によれば，画像読取装置の近傍に人間が存在することを検知した場合にマイクロ波の出力を停止するため，マイクロ波が人体に直接照射されることを防止することができる。
【００６９】
〔実施の形態３〕
図９は，実施の形態３の特殊原稿判定機能を有する画像読取装置のブロック構成図である。なお，図９に示す特殊原稿判定機能を有する画像読取装置において，実施の形態１および実施の形態２の特殊原稿判定機能を有する画像読取装置と同一の部分については同一の符号を付し，その部分の説明は省略する。
【００７０】
実施の形態３の特殊原稿判定機能を有する画像読取装置は，原稿をコンタクトガラス２０１に押圧する圧板２０２が開けられたことを検知する圧板開放検知ユニット１９０（請求項１および３の圧板判定手段に該当する）と，画像読取装置の近傍に人間が存在することを検知する人体検知ユニット７１０（請求項２および３の人体判定手段に該当する）と，を備えている。
【００７１】
次に，上記構成の特殊原稿判定機能を有する画像読取装置の動作を説明する。実施の形態３の特殊原稿判定機能を有する画像読取装置において，特殊原稿判定処理は，原稿からカラー画像データを読み取る際に行われる。実施の形態３では，原稿のサイズや濃度を検知するためのプリスキャン時に特殊原稿判定処理を実行することにする。ただし，特殊原稿判定処理を行うタイミングをプリスキャン時に限定するものではない。
【００７２】
図１０は，実施の形態３の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ１００１）。
【００７３】
ステップＳ１００１において，特殊原稿の判定処理中でないと判定された場合は，マイクロ波センサ１６１からマイクロ波を出力させないで次の処理に進む（Ｓ１００５）。
【００７４】
一方，ステップＳ１００１において，現在特殊原稿の判定処理中であると判定された場合は，圧板２０２の開閉状態を判定する（Ｓ１００２）。圧板２０２の開閉状態は，圧板開放検知ユニット１９０から出力される検知信号により確認することができる。すなわち，圧板開放検知ユニット１９０は，圧板２０２の開閉状態を常に監視しており，圧板２０２が開放された場合は，圧板開放を知らせる検知信号を制御ユニット１８０に対して出力する。制御ユニット１８０は，この検知信号を入力することにより，圧板２０２が開放されているか否かを知ることができる。
【００７５】
ステップＳ１００２において，圧板２０２が閉状態であると判定された場合，制御ユニット１８０は，マイクロ波センサ１６１にマイクロ波を出力させる（Ｓ１００３）。すなわち，制御ユニット１８０は，原稿判別ユニット１６０による特殊原稿の判定処理を続行させる。
【００７６】
一方，ステップＳ１００２において，圧板２０２が開状態であると判定された場合，制御ユニット１８０は，画像読取装置の近傍に人間が存在するか否かを判定する（Ｓ１００４）。画像読取装置の近傍に人間が存在するか否かは，人体検知ユニット７１０から出力される検知信号により確認することができる。すなわち，人体検知ユニット７１０は，画像読取装置の近傍に人間が存在するか否かを常に監視しており，人体を検知した場合は，人体検知を知らせる検知信号を制御ユニット１８０に対して出力する。制御ユニット１８０は，この検知信号を入力することにより，画像読取装置の近傍に人間が存在するか否かを知ることができる。
【００７７】
ステップＳ１００４において，画像読取装置の近傍に人間が存在すると判定された場合，制御ユニット１８０は，マイクロ波センサ１６１からマイクロ波を出力させないで次の処理に進む（Ｓ１００５）。すなわち，制御ユニット１８０は，原稿判別ユニット１６０による特殊原稿の判定処理を中止させる。
【００７８】
一方，ステップＳ１００４において，画像読取装置の近傍に人間が存在しないと判定された場合，制御ユニット１８０は，マイクロ波センサ１６１にマイクロ波を出力させる（Ｓ１００３）。すなわち，制御ユニット１８０は，原稿判別ユニット１６０による特殊原稿の判定処理を続行させる。
【００７９】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【００８０】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ１００１〜ステップＳ１００５のマイクロ波出力制御処理を実行する（Ｓ１００１：請求項１５の第１の工程に該当，Ｓ１００２：請求項１５の第１の工程に該当，Ｓ１００３：請求項１５の第２の工程に該当，Ｓ１００４：請求項１５の第３の工程に該当，Ｓ１００５：請求項１５の第４の工程に該当）。その結果，ステップＳ１００２で圧板２０２が開状態と判定された場合で，かつ，ステップＳ１００４で画像読取装置の近傍に人間が存在すると判定された場合は，特殊原稿判定処理の途中であったとしても，マイクロ波の出力を停止する（Ｓ１００５）。すなわち，制御ユニット１８０は，原稿判別ユニット１６０による特殊原稿判定処理を中止させる。
【００８１】
特殊原稿判定処理が終了した場合は，制御ユニット１８０が，ステップＳ１００１において特殊原稿判定処理中でないと判定し，マイクロ波センサ１６１にマイクロ波の出力を停止させ，例えば，判定対象となった原稿からカラー画像データを読み取る等の処理を実行する。
【００８２】
このように，実施の形態３の特殊原稿判定機能を有する画像読取装置によれば，圧板２０２が開放されたことを検知すると共に，画像読取装置の近傍に人間が存在することを検知した場合にマイクロ波の出力を停止するため，マイクロ波が人体に直接照射されることを防止することができる。
【００８３】
〔実施の形態４〕
実施の形態４の特殊原稿判定機能を有する画像読取装置は，実施の形態１〜３の特殊原稿判定機能を有する画像読取装置において，マイクロ波の照射が中止された場合，即ち特殊原稿判定処理を中止した場合には，原稿から画像データを読み取ることを中止するというものである。なお，実施の形態４の特殊原稿判定機能を有する画像読取装置の構成は，実施の形態１〜３の特殊原稿判定機能を有する画像読取装置と同様であるため，その説明を省略するが，以下では，実施の形態１の特殊原稿判定機能を有する画像読取装置の構成に従ってその動作を説明する。
【００８４】
実施の形態４の特殊原稿判定機能を有する画像読取装置において，特殊原稿判定処理は，原稿からカラー画像データを読み取る際に行われる。実施の形態４では，原稿のサイズや濃度を検知するためのプリスキャン時に特殊原稿判定処理を実行することにする。ただし，特殊原稿判定処理を行うタイミングをプリスキャン時に限定するものではない。
【００８５】
図１１は，実施の形態４の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ１１０１）。
【００８６】
ステップＳ１１０１において，特殊原稿の判定処理中でないと判定された場合は，マイクロ波センサ１６１からマイクロ波を出力させないで次の処理に進む（Ｓ１１０５）。
【００８７】
一方，ステップＳ１１０１において，現在特殊原稿の判定処理中であると判定された場合は，圧板２０２の開閉状態を判定する（Ｓ１１０２）。圧板２０２の開閉状態は，圧板開放検知ユニット１９０から出力される検知信号により確認することができる。すなわち，圧板開放検知ユニット１９０は，圧板２０２の開閉状態を常に監視しており，圧板２０２が開放された場合は，圧板開放を知らせる検知信号を制御ユニット１８０に対して出力する。制御ユニット１８０は，この検知信号を入力することにより，圧板２０２が開放されているか否かを知ることができる。
【００８８】
ステップＳ１１０２において，圧板２０２が開状態であると判定された場合，制御ユニット１８０は，スキャナユニット１１０に対し，プリスキャン終了後に原稿からカラー画像データを読み取ることを中止させる（Ｓ１１０４：請求項１６の読取中止工程に該当する）。制御ユニット１８０は，カラー画像データの読み取りを中止させた後，続いてマイクロ波センサ１６１にマイクロ波の出力をさせないで次の処理に進む（Ｓ１１０５）。すなわち，制御ユニット１８０は，原稿判別ユニット１６０による特殊原稿の判定処理を中止させる。
【００８９】
一方，ステップＳ１１０２において，圧板２０２が閉状態であると判定された場合，制御ユニット１８０は，マイクロ波センサ１６１にマイクロ波を出力させる（Ｓ１１０３）。すなわち，原稿判別ユニット１６０による特殊原稿の判定処理を続行させる。
【００９０】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【００９１】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ１１０１〜ステップＳ１１０５のマイクロ波出力制御処理を実行する。その結果，ステップＳ１１０２で圧板２０２が開状態であると判定された場合は，特殊原稿判定処理の途中であったとしても，原稿からカラー画像データを読み取ることを中止させ（Ｓ１１０４），かつ，マイクロ波の出力を停止させる（Ｓ１１０５）。すなわち，制御ユニット１８０は，原稿判別ユニット１６０による特殊原稿判定処理を中止させる。
【００９２】
特殊原稿判定処理が終了した場合は，制御ユニット１８０がステップＳ１１０１において，特殊原稿判定処理中でないと判定し，マイクロ波センサ１６１にマイクロ波の出力を停止させ，例えば，判定対象となった原稿からカラー画像データを読み取る等の処理を実行する。
【００９３】
このように，実施の形態４の特殊原稿判定機能を有する画像読取装置によれば，マイクロ波の照射を停止したことにより，特殊原稿の判定処理を実行することができなくなった場合であっても，画像データの読み取り動作を中止して画像形成処理を行うことを不可能にするため，紙幣，有価証券等の特殊原稿の違法複写を防止することができる。また，マイクロ波の照射を停止するため，マイクロ波が人体に直接照射されることを防止することができる。
【００９４】
〔実施の形態５〕
実施の形態５の特殊原稿判定機能を有する画像読取装置は，実施の形態１〜３の特殊原稿判定機能を有する画像読取装置において，マイクロ波の照射が中止された後，原稿から画像データが読み取られた場合に，読み取られた画像データが原稿の画像データと異なる画像となるように，画像データに対して画像処理を施すというものである。なお，実施の形態５の特殊原稿判定機能を有する画像読取装置の構成は，実施の形態１〜３の特殊原稿判定機能を有する画像読取装置と同様であるため，その説明を省略するが，以下では，実施の形態１の特殊原稿判定機能を有する画像読取装置の構成に従ってその動作を説明する。
【００９５】
実施の形態５の特殊原稿判定機能を有する画像読取装置において，特殊原稿判定処理は，原稿からカラー画像データを読み取る際に行われる。実施の形態５では，原稿のサイズや濃度を検知するためのプリスキャン時に特殊原稿判定処理を実行することにする。ただし，特殊原稿判定処理を行うタイミングをプリスキャン時に限定するものではない。
【００９６】
図１２は，実施の形態５の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ１２０１）。
【００９７】
ステップＳ１２０１において，特殊原稿の判定処理中でないと判定された場合は，マイクロ波センサ１６１からマイクロ波を出力させないで次の処理に進む（Ｓ１２０５）。
【００９８】
一方，ステップＳ１２０１において，現在特殊原稿の判定処理中であると判定された場合は，圧板２０２の開閉状態を判定する（Ｓ１２０２）。圧板２０２の開閉状態は，圧板開放検知ユニット１９０から出力される検知信号により確認することができる。すなわち，圧板開放検知ユニット１９０は，圧板２０２の開閉状態を常に監視しており，圧板２０２が開放された場合は，圧板開放を知らせる検知信号を制御ユニット１８０に対して出力する。制御ユニット１８０は，この検知信号を入力することにより，圧板２０２が開放されているか否かを知ることができる。
【００９９】
ステップＳ１２０２において，圧板２０２が開状態であると判定された場合，制御ユニット１８０は，プリスキャン終了後に原稿から読み取られるカラー画像データが原稿の画像データと異なる画像となるように，カラー画像データに対して画像処理を施すための画像処理の変更サブルーチンを実行する（Ｓ１２０４：請求項１７の画像処理工程に該当する）。すなわち，制御ユニット１８０は，画像処理ユニット１２０の画像処理に関するパラメータを変更する。
【０１００】
続いて，制御ユニット１８０は，マイクロ波センサ１６１にマイクロ波の出力をさせないで次の処理に進む（Ｓ１２０５）。すなわち，制御ユニット１８０は，原稿判別ユニット１６０による特殊原稿の判定処理を中止させる。
【０１０１】
一方，ステップＳ１２０２において，圧板２０２が閉状態であると判定された場合，制御ユニット１８０は，マイクロ波センサ１６１にマイクロ波を出力させる（Ｓ１２０３）。すなわち，制御ユニット１８０は，原稿判別ユニット１６０による特殊原稿の判定処理を続行させる。
【０１０２】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【０１０３】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ１２０１〜ステップＳ１２０５のマイクロ波出力制御処理を実行する。その結果，ステップＳ１２０２で圧板２０２が開状態であると判定された場合は，特殊原稿判定処理の途中であったとしても，画像処理の変更サブルーチンを実行し（Ｓ１２０４），かつ，マイクロ波の出力を停止させる（Ｓ１２０５）。すなわち，制御ユニット１８０は，原稿判別ユニット１６０による特殊原稿判定処理を中止させる。
【０１０４】
特殊原稿判定処理が終了した場合は，制御ユニット１８０がステップＳ１２０１において，特殊原稿判定処理中でないと判定し，マイクロ波センサ１６１にマイクロ波の出力を停止させ，スキャナユニット１１０に判定対象となった原稿からカラー画像データを読み取る処理を行わせる。そして，読み取られたカラー画像データは，画像処理ユニット１２０において，読み取られた画像データが原稿の画像データと異なる画像となるように，画像処理が施される。すなわち，画像処理ユニット１２０は，画像処理の変更サブルーチン１２０４で変更された画像処理のパラメータに従って，画像処理を実行する。
【０１０５】
このように，実施の形態５の特殊原稿判定機能を有する画像読取装置によれば，マイクロ波の照射を停止して特殊原稿の判定処理を実行することができなくなった後に読み取られた画像データに対し，読み取られた画像データが原稿の画像データと異なる画像となるように画像処理を施すことにしたため，特殊原稿か否かを判定せずに原稿から画像データを読み取った場合であっても，紙幣，有価証券等の特殊原稿の違法複写を防止することができる。また，マイクロ波の照射を停止するため，マイクロ波が人体に直接照射されることを防止することができる。
【０１０６】
〔実施の形態６〕
実施の形態６の特殊原稿判定機能を有する画像読取装置は，実施の形態５の特殊原稿判定機能を有する画像読取装置において，特殊原稿判定処理が中止された後に読み取られた画像データに対する画像処理として，画像処理ユニット１２０が画像データの色相を変更する処理を行うというものである。
【０１０７】
図１３は，実施の形態６の特殊原稿判定機能を有する画像読取装置における画像処理の変更手順を示すフローチャートである。図１２に示すステップＳ１２０４で，制御ユニット１８０が画像処理の変更サブルーチンに入った場合は，まず，画像処理パラメータを変更することを操作部ユニット１５０に表示する（Ｓ１３０１）。
【０１０８】
続いて制御ユニット１８０は，読み取ったカラー画像データの色相を変化させることができるように，画像処理ユニット１２０の色変換パラメータを変更し（Ｓ１３０２），画像処理の変更処理を終了する。
【０１０９】
このように，実施の形態６の特殊原稿判定機能を有する画像読取装置は，特殊原稿判定処理を中止した原稿から読み取られた画像データの色相を変化させるため，特殊原稿か否かを判定せずに原稿から画像データを読み取った場合であっても，紙幣，有価証券等の特殊原稿の違法複写を防止することができる。
【０１１０】
〔実施の形態７〕
実施の形態７の特殊原稿判定機能を有する画像読取装置は，実施の形態５の特殊原稿判定機能を有する画像読取装置において，特殊原稿判定処理が中止された後に読み取られた画像データに対する画像処理として，画像処理ユニット１２０が画像データの濃度を変更する処理を行うというものである。
【０１１１】
図１４は，実施の形態７の特殊原稿判定機能を有する画像読取装置における画像処理の変更手順を示すフローチャートである。図１２に示すステップＳ１２０４で，制御ユニット１８０が画像処理の変更サブルーチンに入った場合は，まず，画像処理パラメータを変更することを操作部ユニット１５０に表示する（Ｓ１４０１）。
【０１１２】
続いて制御ユニット１８０は，読み取ったカラー画像データの濃度が濃くまたは薄くなるように，画像処理ユニット１２０の濃度パラメータを変更し（Ｓ１４０２），画像処理の変更処理を終了する。
【０１１３】
このように，実施の形態７の特殊原稿判定機能を有する画像読取装置は，特殊原稿判定処理を中止した原稿から読み取られた画像データの濃度を変化させるため，特殊原稿か否かを判定せずに原稿から画像データを読み取った場合であっても，紙幣，有価証券等の特殊原稿の違法複写を防止することができる。
【０１１４】
〔実施の形態８〕
実施の形態８の特殊原稿判定機能を有する画像読取装置は，実施の形態５の特殊原稿判定機能を有する画像読取装置において，特殊原稿判定処理が中止された後に読み取られた画像データに対する画像処理として，画像処理ユニット１２０が画像データの色再現範囲を限定する処理を行うというものである。
【０１１５】
図１５は，実施の形態８の特殊原稿判定機能を有する画像読取装置における画像処理の変更手順を示すフローチャートである。図１２に示すステップＳ１２０４で，制御ユニット１８０が画像処理の変更サブルーチンに入った場合は，まず，画像処理パラメータを変更することを操作部ユニット１５０に表示する（Ｓ１５０１）。
【０１１６】
続いて制御ユニット１８０は，読み取ったカラー画像データの色再現範囲を限定できるように，画像処理ユニット１２０の色再現パラメータを変更し（Ｓ１５０２），画像処理の変更処理を終了する。
【０１１７】
このように，実施の形態８の特殊原稿判定機能を有する画像読取装置は，特殊原稿判定処理を中止した原稿から読み取られた画像データの色再現範囲を限定するため，特殊原稿か否かを判定せずに原稿から画像データを読み取った場合であっても，紙幣，有価証券等の特殊原稿の違法複写を防止することができる。
【０１１８】
〔実施の形態９〕
実施の形態９の特殊原稿判定機能を有する画像読取装置は，実施の形態５の特殊原稿判定機能を有する画像読取装置において，特殊原稿判定処理が中止された後に読み取られた画像データに対する画像処理として，画像処理ユニット１２０が画像データの解像度を変更する処理を行うというものである。
【０１１９】
図１６は，実施の形態９の特殊原稿判定機能を有する画像読取装置における画像処理の変更手順を示すフローチャートである。図１２に示すステップＳ１２０４で，制御ユニット１８０が画像処理の変更サブルーチンに入った場合は，まず，画像処理パラメータを変更することを操作部ユニット１５０に表示する（Ｓ１６０１）。
【０１２０】
続いて制御ユニット１８０は，読み取ったカラー画像データの解像度を変更（例えば解像度を１／４にする）できるように，画像処理ユニット１２０の解像度パラメータを変更し（Ｓ１６０２），画像処理の変更処理を終了する。
【０１２１】
このように，実施の形態９の特殊原稿判定機能を有する画像読取装置は，特殊原稿判定処理を中止した原稿から読み取られた画像データの解像度を変更するため，特殊原稿か否かを判定せずに原稿から画像データを読み取った場合であっても，紙幣，有価証券等の特殊原稿の違法複写を防止することができる。
【０１２２】
〔実施の形態１０〕
実施の形態１０の特殊原稿判定機能を有する画像読取装置は，実施の形態５の特殊原稿判定機能を有する画像読取装置において，特殊原稿判定処理が中止された後に読み取られた画像データに対する画像処理として，画像処理ユニット１２０が画像データに対してモザイク処理を施すというものである。
【０１２３】
図１７は，実施の形態１０の特殊原稿判定機能を有する画像読取装置における画像処理の変更手順を示すフローチャートである。図１２に示すステップＳ１２０４で，制御ユニット１８０が画像処理の変更サブルーチンに入った場合は，まず，画像処理パラメータを変更することを操作部ユニット１５０に表示する（Ｓ１７０１）。
【０１２４】
続いて制御ユニット１８０は，読み取ったカラー画像データに対し，モザイク処理を施すことができるように，画像処理ユニット１２０のパラメータを変更し（Ｓ１７０２），画像処理の変更処理を終了する。
【０１２５】
このように，実施の形態１０の特殊原稿判定機能を有する画像読取装置は，特殊原稿判定処理を中止した原稿から読み取られた画像データに対してモザイク処理を施すため，特殊原稿か否かを判定せずに原稿から画像データを読み取った場合であっても，紙幣，有価証券等の特殊原稿の違法複写を防止することができる。
【０１２６】
〔実施の形態１１〕
実施の形態１１の特殊原稿判定機能を有する画像読取装置は，実施の形態１〜３の特殊原稿判定機能を有する画像読取装置において，原稿判別ユニット１６０が，マイクロ波の照射を中止した場合，マイクロ波を用いる方式以外の方式で，原稿が特殊原稿であるか否かを判定するというものである。なお，実施の形態１１の特殊原稿判定機能を有する画像読取装置の構成は，実施の形態１〜３の特殊原稿判定機能を有する画像読取装置と同様であるため，その説明を省略するが，以下では，実施の形態１の特殊原稿判定機能を有する画像読取装置の構成に従ってその動作を説明する。
【０１２７】
実施の形態１１の特殊原稿判定機能を有する画像読取装置において，特殊原稿判定処理は，原稿からカラー画像データを読み取る際に行われる。実施の形態１１では，原稿のサイズや濃度を検知するためのプリスキャン時に特殊原稿判定処理を実行することにする。ただし，特殊原稿判定処理を行うタイミングをプリスキャン時に限定するものではない。
【０１２８】
図１８は，実施の形態１１の画像読取装置の特殊原稿判定処理時に実行されるマイクロ波出力制御手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ１８０１）。
【０１２９】
ステップＳ１８０１において，特殊原稿の判定処理中でないと判定された場合は，マイクロ波センサ１６１からマイクロ波を出力させないで次の処理に進む（Ｓ１８０５）。
【０１３０】
一方，ステップＳ１８０１において，現在特殊原稿の判定処理中であると判定された場合は，圧板２０２の開閉状態を判定する（Ｓ１８０２）。圧板２０２の開閉状態は，圧板開放検知ユニット１９０から出力される検知信号により確認することができる。すなわち，圧板開放検知ユニット１９０は，圧板２０２の開閉状態を常に監視しており，圧板２０２が開放された場合は，圧板開放を知らせる検知信号を制御ユニット１８０に対して出力する。制御ユニット１８０は，この検知信号を入力することにより，圧板２０２が開放されているか否かを知ることができる。
【０１３１】
ステップＳ１８０２において，圧板２０２が開状態であると判定された場合，制御ユニット１８０は，マイクロ波を用いた特殊原稿判定処理からマイクロ波を用いない特殊原稿判定処理に，特殊原稿判定処理を切り換えるための処理を実行する（Ｓ１８０４：請求項２３の特殊原稿判定工程に該当する）。制御ユニット１８０は，特殊原稿判定処理の切り換え処理を実行した後，続いてマイクロ波センサ１６１にマイクロ波の出力を停止させる（Ｓ１８０５）。すなわち，制御ユニット１８０は，マイクロ波を用いた特殊原稿の判定処理を中止させ，原稿判別ユニット１６０に他の特殊原稿判定処理を実行させ，原稿が特殊原稿であるか否かを判定する。
【０１３２】
一方，ステップＳ１８０２において，圧板２０２が閉状態であると判定された場合，制御ユニット１８０は，マイクロ波センサ１６１にマイクロ波を出力させる（Ｓ１８０３）。すなわち，制御ユニット１８０は，原稿判別ユニット１６０による特殊原稿の判定処理を続行させる。
【０１３３】
そして，マイクロ波センサ１６１は，判定対象の原稿に対してマイクロ波を照射して走査し，照射したマイクロ波の反射波を検出して，反射波の検出信号を出力する。信号処理部１６２は，マイクロ波センサ１６１から出力された検出信号を入力し，入力した検出信号を用いて，原稿中に金属繊維がすき込まれているか否かを判定する。そして，金属繊維がすき込まれていると判定された場合は，その結果が制御ユニット１８０に報告され，制御ユニット１８０は，原稿が金属繊維のすき込まれた紙幣・有価証券等の特殊原稿であると判定する。一方，信号処理部１６２で金属繊維がすき込まれていないと判定された場合は，その結果が制御ユニット１８０に報告され，制御ユニット１８０は，原稿が金属繊維のすき込まれた紙幣・有価証券等の特殊原稿ではなく，一般の原稿であると判定する。
【０１３４】
上記マイクロ波センサ１６１が，原稿に対してマイクロ波を照射して走査している最中においても，制御ユニット１８０は，所定のタイミングで繰り返しマイクロ波出力制御処理のためのサブルーチンを読み出し，ステップＳ１８０１〜ステップＳ１８０５のマイクロ波出力制御処理を実行する。その結果，ステップＳ１８０２で圧板２０２が開状態であると判定された場合は，特殊原稿判定処理の途中であったとしても，他の方法により特殊原稿判定処理を実行させ，（Ｓ１８０４），かつ，マイクロ波の出力を停止させる（Ｓ１８０５）。
【０１３５】
特殊原稿判定処理が終了した場合は，制御ユニット１８０がステップＳ１８０１において，特殊原稿判定処理中でないと判定し，マイクロ波センサ１６１にマイクロ波の出力を停止させ，例えば，判定対象となった原稿からカラー画像データを読み取る等の処理を実行する。
【０１３６】
このように，実施の形態１１の特殊原稿判定機能を有する画像読取装置によれば，マイクロ波の照射を停止して特殊原稿の判定処理を実行することができなくなった場合であっても，他の特殊原稿判定処理を実行するため，紙幣，有価証券等の特殊原稿の違法複写を防止することができる。また，マイクロ波の照射を停止するため，マイクロ波が人体に直接照射されることを防止することができる。
【０１３７】
〔実施の形態１２〕
図１９は，実施の形態１２の特殊原稿判定機能を有する画像読取装置のブロック構成図である。なお，図１９に示す特殊原稿判定機能を有する画像読取装置において，実施の形態１の特殊原稿判定機能を有する画像読取装置と同一の部分については同一の符号を付し，その部分の説明は省略する。
【０１３８】
実施の形態１２の特殊原稿判定機能を有する画像読取装置は，特殊原稿判定ユニット１１０が原稿中に金属繊維がすき込まれているか否かを判定する際に，原稿をコンタクトガラス２０１に押圧する圧板２０２を開放できないようにロックする圧板ロック機構１９１０（請求項１２のロック手段に該当する）を備えている。
【０１３９】
次に，上記構成の特殊原稿判定機能を有する画像読取装置の動作を説明する。実施の形態１２の特殊原稿判定機能を有する画像読取装置において，特殊原稿判定処理は，原稿からカラー画像データを読み取る際に行われる。実施の形態１２では，原稿のサイズや濃度を検知するためのプリスキャン時に特殊原稿判定処理を実行することにする。ただし，特殊原稿判定処理を行うタイミングをプリスキャン時に限定するものではない。
【０１４０】
図２０は，実施の形態１２の画像読取装置の特殊原稿判定処理時における圧板ロック処理手順を示すフローチャートである。カラー画像データの読み取りが指示されると，プリスキャンが実行されると共に，特殊原稿判定処理が実行される。この際，制御ユニット１８０は，マイクロ波出力制御処理のためのサブルーチンを読み出し，現在特殊原稿の判定処理中であるか否かを判定する（Ｓ２００１）。
【０１４１】
ステップＳ２００１において，特殊原稿の判定処理中でないと判定された場合は，圧板ロック機構１９１０に圧板２０２のロックを解除させ，次の処理に進む（Ｓ２００３）。
【０１４２】
一方，ステップＳ２００１において，現在特殊原稿の判定処理中である場合は，圧板ロック機構１９１０を動作させ，圧板２０２を開放することができないようにロックさせる（Ｓ２００２）。そして，制御ユニット１８０は，圧板２０２をロックした状態で，原稿判別ユニット１６０に特殊原稿判定処理を実行させる。
【０１４３】
また，特殊原稿の判定処理が終了した場合は，制御ユニット１８０が，ステップＳ２００１において特殊原稿判定処理中でないと判定し，圧板ロック機構１９１０を動作させ，圧板２０２のロックを解除する（Ｓ２００３）。
【０１４４】
このように，実施の形態１２の特殊原稿判定機能を有する画像読取装置によれば，特殊原稿の判定処理中において，圧板ロック機構１９１０に圧板を開放できないようにロックさせるため，特殊原稿の判定処理中に誤って圧板２０２を開放するということを防止できる。その結果，マイクロ波が人体に直接照射されることを防止することができる。
【０１４５】
なお，以上の実施の形態１〜１２において説明した特殊原稿判定機能を有する画像読取装置の制御方法をプログラム化し，これをフロッピーディスク，ハードディスク，ＣＤ−ＲＯＭ，ＤＶＤ等のコンピュータが読取可能な記憶媒体に記憶することができる。
【０１４６】
【発明の効果】
以上説明したように，本発明に係る画像読取装置（請求項１）によれば，原稿にマイクロ波を照射して走査している際に，原稿を原稿台に押圧する圧板の開閉状態を判定する圧板判定手段と，圧板判定手段で圧板が開状態であると判定された場合に，マイクロ波の照射を中止する特殊原稿判定手段と，を備えるため，マイクロ波が人体に直接照射されることを防止することができる。また，マイクロ波の照射が中止された場合に，原稿から画像データを読み取ることを中止し、前記特殊原稿判定を行なっていなければ画像データの読み取りを継続する読取手段を備えるため，紙幣，有価証券等の特殊原稿の違法複写を防止することができる。
【０１４７】
また，本発明に係る画像読取装置（請求項２）によれば，原稿にマイクロ波を照射して走査している際に，原稿を原稿台に押圧する圧板の開閉状態を判定する圧板判定手段と，圧板判定手段で圧板が開状態であると判定された場合に，マイクロ波の照射を中止する特殊原稿判定手段と，を備えるため，マイクロ波が人体に直接照射されることを防止することができる。また，マイクロ波の照射が中止された後に，原稿から画像データが読み取られた場合に，読み取られた画像データが原稿の画像データと異なる画像となるように，画像データに対して画像処理を施す画像処理手段を備えるため，特殊原稿か否かを判定せずに原稿から画像データを読み取った場合であっても，紙幣，有価証券等の特殊原稿の違法複写を防止することができる。
【０１５１】
また，本発明に係る画像読取装置（請求項３）によれば，請求項２記載の画像読取装置において，画像処理手段が，画像データの色相を変更するため，特殊原稿か否かを判定せずに原稿から画像データを読み取った場合であっても，紙幣，有価証券等の特殊原稿の違法複写を防止することができる。
【０１５２】
また，本発明に係る画像読取装置（請求項４）によれば，請求項２記載の画像読取装置において，前記画像処理手段が，前記画像データの画像濃度を変更するため，特殊原稿か否かを判定せずに原稿から画像データを読み取った場合であっても，紙幣，有価証券等の特殊原稿の違法複写を防止することができる。
【０１５３】
また，本発明に係る画像読取装置（請求項５）によれば，請求項２記載の画像読取装置において，前記画像処理手段が，前記画像データの色再現範囲を変更するため，特殊原稿か否かを判定せずに原稿から画像データを読み取った場合であっても，紙幣，有価証券等の特殊原稿の違法複写を防止することができる。
【０１５４】
また，本発明に係る画像読取装置（請求項６）によれば，請求項２記載の画像読取装置において，前記画像処理手段が，前記画像データの解像度を変更するため，特殊原稿か否かを判定せずに原稿から画像データを読み取った場合であっても，紙幣，有価証券等の特殊原稿の違法複写を防止することができる。
【０１５５】
また，本発明に係る画像読取装置（請求項７）によれば，請求項２記載の画像読取装置において，前記画像処理手段が，前記画像データにモザイク処理を施すため，特殊原稿か否かを判定せずに原稿から画像データを読み取った場合であっても，紙幣，有価証券等の特殊原稿の違法複写を防止することができる。
【０１５８】
また，本発明に係る画像読取装置の制御方法（請求項８）によれば，原稿にマイクロ波を照射して走査している際に，原稿を原稿台に押圧する圧板の開閉状態を判定する第１の工程と，第１の工程で圧板が開状態であると判定された場合に，マイクロ波の照射を中止する第２の工程と，を含むため，マイクロ波が人体に直接照射されることを防止することができる。また，マイクロ波の照射が中止された場合に，原稿から画像データを読み取ることを中止し、前記特殊原稿判定を行なっていなければ画像データの読み取りを継続する読取工程を含むため，紙幣，有価証券等の特殊原稿の違法複写を防止することができる。
【０１５９】
また，本発明に係る画像読取装置の制御方法（請求項９）によれば，原稿にマイクロ波を照射して走査している際に，原稿を原稿台に押圧する圧板の開閉状態を判定する第１の工程と，第１の工程で圧板が開状態であると判定された場合に，マイクロ波の照射を中止する第２の工程と，を含むため，マイクロ波が人体に直接照射されることを防止することができる。また，マイクロ波の照射が中止された後に，原稿から画像データが読み取られた場合に，読み取られた画像データが原稿の画像データと異なる画像となるように，画像データに対して画像処理を施す画像処理工程を含むため，特殊原稿か否かを判定せずに原稿から画像データを読み取った場合であっても，紙幣，有価証券等の特殊原稿の違法複写を防止することができる。
【０１６３】
また，本発明に係る画像読取装置の制御方法（請求項１０）によれば，請求項９記載の画像読取装置の制御方法において，画像処理工程が，画像データの色相を変更する工程を含むため，特殊原稿か否かを判定せずに原稿から画像データを読み取った場合であっても，紙幣，有価証券等の特殊原稿の違法複写を防止することができる。
【０１６４】
また，本発明に係る画像読取装置の制御方法（請求項１１）によれば，請求項９記載の画像読取装置の制御方法において，画像処理工程が，画像データの画像濃度を変更する工程を含むため，特殊原稿か否かを判定せずに原稿から画像データを読み取った場合であっても，紙幣，有価証券等の特殊原稿の違法複写を防止することができる。
【０１６５】
また，本発明に係る画像読取装置の制御方法（請求項１２）によれば，請求項９記載の画像読取装置の制御方法において，画像処理工程が，画像データの色再現範囲を変更する工程を含むため，特殊原稿か否かを判定せずに原稿から画像データを読み取った場合であっても，紙幣，有価証券等の特殊原稿の違法複写を防止することができる。
【０１６６】
また，本発明に係る画像読取装置の制御方法（請求項１３）によれば，請求項９記載の画像読取装置の制御方法において，画像処理工程が，画像データの解像度を変更する工程を含むため，特殊原稿か否かを判定せずに原稿から画像データを読み取った場合であっても，紙幣，有価証券等の特殊原稿の違法複写を防止することができる。
【０１６７】
また，本発明に係る画像読取装置の制御方法（請求項１４）によれば，請求項９記載の画像読取装置の制御方法において，画像処理工程が，画像データにモザイク処理を施す工程を含むため，特殊原稿か否かを判定せずに原稿から画像データを読み取った場合であっても，紙幣，有価証券等の特殊原稿の違法複写を防止することができる。
【図面の簡単な説明】
【図１】実施の形態１の特殊原稿判定機能を有する画像読取装置のブロック構成図である。
【図２】図１に示す特殊原稿判定機能を有する画像読取装置のスキャナユニットのブロック構成図である。
【図３】図１に示す特殊原稿判定機能を有する画像読取装置の画像処理ユニットのブロック構成図である。
【図４】図１に示す特殊原稿判定機能を有する画像読取装置の書込処理ユニットのブロック構成図である。
【図５】図１に示す特殊原稿判定機能を有する画像読取装置の原稿読取系の具体的構成を示す構成図である。
【図６】実施の形態１の特殊原稿判定機能を有する画像読取装置の特殊原稿判定処理時に実行されるマイクロ波出力制御手順を示すフローチャートである。
【図７】実施の形態２の特殊原稿判定機能を有する画像読取装置のブロック構成図である。
【図８】実施の形態２の特殊原稿判定機能を有する画像読取装置の特殊原稿判定処理時に実行されるマイクロ波出力制御手順を示すフローチャートである。
【図９】実施の形態３の特殊原稿判定機能を有する画像読取装置のブロック構成図である。
【図１０】実施の形態３の特殊原稿判定機能を有する画像読取装置の特殊原稿判定処理時に実行されるマイクロ波出力制御手順を示すフローチャートである。
【図１１】実施の形態４の特殊原稿判定機能を有する画像読取装置の特殊原稿判定処理時に実行されるマイクロ波出力制御手順を示すフローチャートである。
【図１２】実施の形態５の特殊原稿判定機能を有する画像読取装置の特殊原稿判定処理時に実行されるマイクロ波出力制御手順を示すフローチャートである。
【図１３】実施の形態６の特殊原稿判定機能を有する画像読取装置における画像処理の変更手順を示すフローチャートである。
【図１４】実施の形態７の特殊原稿判定機能を有する画像読取装置における画像処理の変更手順を示すフローチャートである。
【図１５】実施の形態８の特殊原稿判定機能を有する画像読取装置における画像処理の変更手順を示すフローチャートである。
【図１６】実施の形態９の特殊原稿判定機能を有する画像読取装置における画像処理の変更手順を示すフローチャートである。
【図１７】実施の形態１０の特殊原稿判定機能を有する画像読取装置における画像処理の変更手順を示すフローチャートである。
【図１８】実施の形態１１の特殊原稿判定機能を有する画像読取装置の特殊原稿判定処理時に実行されるマイクロ波出力制御手順を示すフローチャートである。
【図１９】実施の形態１２の特殊原稿判定機能を有する画像読取装置のブロック構成図である。
【図２０】実施の形態１２の特殊原稿判定機能を有する画像読取装置の特殊原稿判定処理時における圧板ロック処理手順を示すフローチャートである。
【符号の説明】
１１０      スキャナユニット
１１１      読取センサ
１１２      読取信号処理部
１２０      画像処理ユニット
１３０      書込処理ユニット
１４０      プリンタユニット
１５０      操作ユニット
１６０      原稿判別ユニット
１６１      マイクロ波センサ
１６２      信号処理部
１８０      制御ユニット
１９０      圧板開放検知ユニット
２０１      コンタクトガラス
２０２      圧板
７１０      人体検知ユニット
１９１０    圧板ロック機構
【図１】
0003655711.tif 000002
【図２】
0003655711.tif 000003
【図３】
0003655711.tif 000004
【図４】
0003655711.tif 000005
【図５】
0003655711.tif 000006
【図６】
0003655711.tif 000007
【図７】
0003655711.tif 000008
【図８】
0003655711.tif 000009
【図９】
0003655711.tif 000010
【図１０】
0003655711.tif 000011
【図１１】
0003655711.tif 000012
【図１２】
0003655711.tif 000013
【図１３】
0003655711.tif 000014
【図１４】
0003655711.tif 000015
【図１５】
0003655711.tif 000016
【図１６】
0003655711.tif 000017
【図１７】
0003655711.tif 000018
【図１８】
0003655711.tif 000019
【図１９】
0003655711.tif 000020
【図２０】
0003655711.tif 000021